【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
ディスプレイ装置の表示画面に対する表示制御を行う表示制御装置において、
前記ディスプレイ装置の表示画面を複数の領域に区分し、区分された領域毎に入力操作子を割り当てて、割り当てられた入力操作子による対応の領域への入力のみを受理する領域管理手段と、
前記領域管理手段による領域管理の下で各領域に応じた形態で情報を表示させるべく情報を加工処理する加工手段と、
前記加工手段により加工処理された情報を前記領域管理手段による領域管理に従って前記表示画面の該当領域に表示させる表示制御手段と、
を備えたことを特徴とする表示制御装置。
【請求項２】
前記ディスプレイ装置の表示画面は、机状の筺体の水平面に配置されていることを特徴とする請求項１記載の表示制御装置。
【請求項３】
前記領域管理手段は、複数の入力操作子による入力を許可する共通領域と特定の入力操作子による入力のみを許可する個人領域を配置するようにして領域管理を行うことを特徴とする請求項１記載の表示制御装置。
【請求項４】
前記共通領域は前記表示画面の中央部分に配置され、前記個人領域は前記共通領域の周辺に配置されることを特徴とする請求項３記載の表示制御装置。
【請求項５】
前記領域管理手段は、前記表示画面の各領域の面積を変更可能に領域区分を行うことを特徴とする請求項１記載の表示制御装置。
【請求項６】
前記加工手段は、前記区分された領域毎に情報の向きを変更すべく回転処理を行うことを特徴とする請求項１記載の表示制御装置。
【請求項７】
前記加工手段は、前記区分された領域毎に情報の表示倍率を変更すべく変倍処理を行うことを特徴とする請求項１記載の表示制御装置。
【請求項８】
前記領域管理手段は、複数の資料を重ねた状態で前記共通領域に表示させ、当該共通領域に表示された資料の中から任意に選択された資料を前記個人領域に表示させるように前記表示制御手段を制御することを特徴とする請求項１記載の表示制御装置。
【請求項９】
前記表示画面は、表示機能と共に入力機能を備え、前記入力操作子は、ワイアード型の電子ペンにより構成されたことを特徴とする請求項１記載の表示制御装置。
【請求項１０】
前記表示画面は、表示機能と共に入力機能を備え、前記入力操作子は、ワイヤレス型の電子ペンにより構成されたことを特徴とする請求項１記載の表示制御装置。
【請求項１１】
前記入力操作子は、マウスにより構成されたことを特徴とする請求項１記載の表示制御装置。
【請求項１２】
ディスプレイ装置の表示画面に対する表示制御を行う表示制御方法において、
前記ディスプレイ装置の表示画面を複数の領域に区分し、区分された領域毎に入力操作子を割り当てて、割り当てられた入力操作子による対応の領域への入力のみを受理する領域管理工程と、
前記領域管理工程による領域管理の下で各領域に応じた形態で情報を表示させるべく情報を加工処理する加工工程と、
前記加工工程により加工処理された情報を前記領域管理工程による領域管理に従って前記表示画面の該当領域に表示させる表示制御工程と、
を備えたことを特徴とする表示制御方法。
【請求項１３】
ディスプレイ装置の表示画面に対する表示制御を行うための制御プログラムを記憶する記憶媒体であって、前記制御プログラムは、
前記ディスプレイ装置の表示画面を複数の領域に区分し、区分された領域毎に入力操作子を割り当てて、割り当てられた入力操作子による対応の領域への入力のみを受理する領域管理ルーチンと、
前記領域管理ルーチンによる領域管理の下で各領域に応じた形態で情報を表示させるべく情報を加工処理する加工ルーチンと、
前記加工ルーチンにより加工処理された情報を前記領域管理ルーチンによる領域管理に従って前記表示画面の該当領域に表示させる表示制御ルーチンと、
を含むことを特徴とする記憶媒体。
【手続補正２】
【補正対象書類名】明細書
【補正対象項目名】０００８
【補正方法】変更
【補正の内容】
【０００８】
【課題を解決するための手段】
上記課題を解決するため、本発明は、ディスプレイ装置の表示画面に対する表示制御を行う表示制御装置において、前記ディスプレイ装置の表示画面を複数の領域に区分し、区分された領域毎に入力操作子を割り当てて、割り当てられた入力操作子による対応の領域への入力のみを受理する領域管理手段と、前記領域管理手段による領域管理の下で各領域に応じた形態で情報を表示させるべく情報を加工処理する加工手段と、前記加工手段により加工処理された情報を前記領域管理手段による領域管理に従って前記表示画面の該当領域に表示させる表示制御手段と、を備えている。
【手続補正３】
【補正対象書類名】明細書
【補正対象項目名】０００９
【補正方法】変更
【補正の内容】
【０００９】
また、本発明は、ディスプレイ装置の表示画面に対する表示制御を行う表示制御方法において、前記ディスプレイ装置の表示画面を複数の領域に区分し、区分された領域毎に入力操作子を割り当てて、割り当てられた入力操作子による対応の領域への入力のみを受理する領域管理工程と、前記領域管理工程による領域管理の下で各領域に応じた形態で情報を表示させるべく情報を加工処理する加工工程と、前記加工工程により加工処理された情報を前記領域管理工程による領域管理に従って前記表示画面の該当領域に表示させる表示制御工程と、  を備えている。
【手続補正４】
【補正対象書類名】明細書
【補正対象項目名】００１０
【補正方法】変更
【補正の内容】
【００１０】
また、本発明は、ディスプレイ装置の表示画面に対する表示制御を行うための制御プログラムを記憶する記憶媒体であって、前記制御プログラムは、前記ディスプレイ装置の表示画面を複数の領域に区分し、区分された領域毎に入力操作子を割り当てて、割り当てられた入力操作子による対応の領域への入力のみを受理する領域管理ルーチンと、前記領域管理ルーチンによる領域管理の下で各領域に応じた形態で情報を表示させるべく情報を加工処理する加工ルーチンと、前記加工ルーチンにより加工処理された情報を前記領域管理ルーチンによる領域管理に従って前記表示画面の該当領域に表示させる表示制御ルーチンと、を含んでいる。
【手続補正５】
【補正対象書類名】明細書
【補正対象項目名】００１２
【補正方法】変更
【補正の内容】
【００１２】
また、本発明では、前記領域管理手段は、複数の入力操作子による入力を許可する共通領域と特定の入力操作子による入力のみを許可する個人領域を配置するようにして領域管理を行っている。
【手続補正６】
【補正対象書類名】明細書
【補正対象項目名】００１３
【補正方法】変更
【補正の内容】
【００１３】
また、本発明では、前記領域管理手段は、前記表示画面の各領域の面積を変更可能に領域区分を行っている。
【手続補正７】
【補正対象書類名】明細書
【補正対象項目名】００１４
【補正方法】変更
【補正の内容】
【００１４】
また、本発明では、前記加工手段は、前記区分された領域毎に情報の向きを変更すべく回転処理を行っている。
【手続補正８】
【補正対象書類名】明細書
【補正対象項目名】００１５
【補正方法】変更
【補正の内容】
【００１５】
また、本発明では、前記加工手段は、前記区分された領域毎に情報の表示倍率を変更すべく変倍処理を行っている。
【手続補正９】
【補正対象書類名】明細書
【補正対象項目名】００１６
【補正方法】変更
【補正の内容】
【００１６】
また、本発明では、前記領域管理手段は、複数の資料を重ねた状態で前記共通領域に表示させ、当該共通領域に表示された資料の中から任意に選択された資料を前記個人領域に表示させるように前記表示制御手段を制御している。
また、本発明では、前記共通領域は前記表示画面の中央部分に配置され、前記個人領域は前記共通領域の周辺に配置されている。
【手続補正１０】
【補正対象書類名】明細書
【補正対象項目名】００４４
【補正方法】変更
【補正の内容】
【００４４】
【発明の効果】
以上説明したように、本発明によれば、ディスプレイ装置の表示画面に対する表示制御を行う表示制御装置において、前記ディスプレイ装置の表示画面を複数の領域に区分し、区分された領域毎に入力操作子を割り当てて、割り当てられた入力操作子による対応の領域への入力のみを受理する領域管理手段と、前記領域管理手段による領域管理の下で各領域に応じた形態で情報を表示させるべく情報を加工処理する加工手段と、前記加工手段により加工処理された情報を前記領域管理手段による領域管理に従って前記表示画面の該当領域に表示させる表示制御手段とを備えたので、表示画面を複数の領域に区分し、特定領域へのアクセス権を制限すると共に、各領域に見やすい形態で表示することが可能となる。